(57)【要約】【課題】損傷部分が複数又は広範囲である場合でも低コストで補修することができ、かつ補修後の耐久性に優れたコンベヤベルトの補修方法を提供する。【解決手段】コンベヤベルト１のカバーゴム層３表面の損傷部分４を未加硫ゴム５で成形し、その上に板状ヒーター６を載置してからロール状に巻き取った後に、板状ヒーター６で未加硫ゴム５を加硫する。【選択図】図３
2010241544.tif 000002
【特許請求の範囲】
【請求項１】
コンベヤベルトの損傷部分を補修する補修方法であって、
前記損傷部分を補修用の未加硫ゴムで成形し、前記未加硫ゴムで成形された損傷部分の上に可撓性の板状ヒーターを載置し、前記コンベヤベルトを前記未加硫ゴム及び板状ヒーターが外表面に露出しないようにロール状に巻き取った後に、前記板状ヒーターにより前記未加硫ゴムを加硫するコンベヤベルトの補修方法。
【請求項２】
前記板状ヒーターの上に弾性体からなる袋体を載置し、前記コンベヤベルトを前記袋体、未加硫ゴム及び板状ヒーターが外表面に露出しないようにロール状に巻き取った後に、前記板状ヒーターにより前記未加硫ゴムを加硫すると共に、前記袋体内に流体又は気体を圧入して該未加硫ゴムを加圧する請求項１に記載のコンベヤベルトの補修方法。
【請求項３】
コンベヤベルトの損傷部分を補修する補修方法であって、
前記損傷部分を補修用の未加硫ゴムで成形し、前記未加硫ゴムで成形された損傷部分の上に弾性体からなる袋体を載置し、前記コンベヤベルトを前記袋体及び未加硫ゴムが外表面に露出しないようにロール状に巻き取った後に、前記袋体内に加熱された流体又は気体を圧入して前記未加硫ゴムを加圧しつつ加硫するコンベヤベルトの補修方法。
【請求項４】
前記流体が水又はオイルである請求項２又は３に記載のコンベヤベルトの補修方法。
【請求項５】
前記気体が空気又は不活性ガスである請求項２又は３に記載のコンベヤベルトの補修方法。
【発明の詳細な説明】
【技術分野】
【０００１】
本発明はコンベヤベルトの補修方法に関し、更に詳しくは、損傷部分が複数又は広範囲である場合でも低コストで補修することができ、かつ補修後の耐久性に優れた補修方法に関する。
【背景技術】
【０００２】
コンベヤベルトの製造過程において、カバーゴム層や補強層などに損傷が発生すると、コンベヤベルトの品質を低下させるため、出荷前に損傷部分を補修する作業が必要となる。通常、コンベヤベルトに発生した損傷は、ベルト表面の傷、凹みや膨れなどの痕跡を伴うため、損傷部分を外部から容易に同定することができる。そのため、このような損傷部分の補修には、いわゆる埋め込み法とパッチ法の２つの補修方法が従来より用いられている。前者の埋め込み法は、架橋剤入りのゴム組成物を損傷部分に埋め込んで、自然加硫させてカバーゴム層と一体化させる方法であり、後者のパッチ法は、例えば特許文献１に示すように、補修用の未加硫ゴムで損傷部分を成形し、圧力と熱を加えて接着固定させる方法である。
【０００３】
しかしながら、埋め込み法は、補修作業を容易かつ低コストで行うことができるが、大きな損傷部分の補修には不向きであると共に、補修部分の耐久性が低いという問題を有していた。一方パッチ法は、大きな損傷部分を補修することができ、かつ補修部分の耐久性は高いが、未加硫ゴムを加圧・加熱するための加硫プレス機が必要となるため、補修作業に手間が掛かり、補修コストが高くなってしまうという問題を有していた。特に、損傷部分が複数存在するような場合には、後者のパッチ法では補修コストが大幅に増加してしまうことになる。そのため、埋め込み法とパッチ法の両者の利点を備えたコンベヤベルトの補修方法が求められていた。
【先行技術文献】
【特許文献】
【０００４】
【特許文献１】特開平５−３３１８２３号公報
【発明の概要】
【発明が解決しようとする課題】
【０００５】
本発明の目的は、損傷部分が複数又は広範囲である場合でも低コストで補修することができ、かつ補修後の耐久性に優れたコンベヤベルトの補修方法を提供することにある。
【課題を解決するための手段】
【０００６】
上記の目的を達成する本発明として、以下の２つの発明を提供する。
【０００７】
第１の発明のコンベヤベルトの補修方法は、コンベヤベルトの損傷部分を補修する補修方法であって、前記損傷部分を補修用の未加硫ゴムで成形し、前記未加硫ゴムで成形された損傷部分の上に可撓性の板状ヒーターを載置し、前記コンベヤベルトを前記未加硫ゴム及び板状ヒーターが外表面に露出しないようにロール状に巻き取った後に、前記板状ヒーターにより前記未加硫ゴムを加硫することを特徴とするものである。
【０００８】
この第１の発明においては、板状ヒーターの上に弾性体からなる袋体を載置し、コンベヤベルトを袋体、未加硫ゴム及び板状ヒーターが外表面に露出しないようにロール状に巻き取った後に、板状ヒーターにより未加硫ゴムを加硫すると共に、袋体内に流体又は気体を圧入して該未加硫ゴムを加圧することが望ましい。
【０００９】
第２の発明のコンベヤベルトの補修方法は、コンベヤベルトの損傷部分を補修する補修方法であって、前記損傷部分を補修用の未加硫ゴムで成形し、前記未加硫ゴムで成形された損傷部分の上に弾性体からなる袋体を載置し、前記コンベヤベルトを前記袋体及び未加硫ゴムが外表面に露出しないようにロール状に巻き取った後に、前記袋体内に加熱された流体又は気体を圧入して前記未加硫ゴムを加圧しつつ加硫することを特徴とするものである。
【００１０】
上述した流体は水又はオイルであることが、また上述した気体は空気又は不活性ガスであることが、それぞれ望ましい。
【発明の効果】
【００１１】
第１の発明によれば、コンベヤベルトの損傷部分を未加硫ゴムで成形し、その上に板状ヒーターを載置してからロール状に巻き取った後に、板状ヒーターで加熱することにより損傷部分の補修を行うようにしたので、加硫プレス機などの大型機器を用いる必要がなく、かつ損傷部分を一度に加圧加硫することができるので、損傷部分が複数又は広範囲である場合でも低コストで補修することができ、かつ補修後の耐久性に優れた補修方法を提供することができる。
【００１２】
第２の発明によれば、コンベヤベルトの損傷部分を未加硫ゴムで成形し、その上に弾性体からなる袋体を載置してからロール状に巻き取った後に、袋体内に加熱した流体又は気体を圧入することにより損傷部分の補修を行うようにしたので、第１の発明と同様に、加硫プレス機などの大型機器を用いる必要がなく、かつ損傷部分を一度に加圧加硫することができるので、損傷部分が複数又は広範囲である場合でも低コストで補修することができ、かつ補修後の耐久性に優れた補修方法を提供することができる。また、未加硫ゴムの加圧加硫の条件を容易に制御することができるため、未加硫ゴムの損傷部分への固定を確実にし、かつ外観を向上させることができる。
【図面の簡単な説明】
【００１３】
【図１】第１及び第２の発明の実施対象となるコンベヤベルトの例を示すコンベヤベルトのベルト長手方向の断面図である。
【図２】第１の発明の実施形態からなるコンベヤベルトの補修方法を説明するコンベヤベルトのベルト長手方向の断面図である。
【図３】コンベヤベルトをロール状に巻き取る工程を説明する斜視図である。
【図４】ロール状に巻き取られたコンベヤベルトの径方向断面図である。
【図５】図４に示すＸ部の拡大図である。
【図６】第１及び第２の発明の実施対象となるコンベヤベルトの別の例についての補修方法を説明するベルト長手方向の断面図である。
【図７】第１の発明の別の実施形態からなるコンベヤベルトの補修方法を説明するコンベヤベルトのベルト長手方向の断面図である。
【図８】第２の発明の実施形態からなるコンベヤベルトの補修方法を説明するコンベヤベルトのベルト長手方向の断面図である。
【発明を実施するための形態】
【００１４】
以下に、本発明の実施の形態について、図面を参照して説明する。
【００１５】
図１は、第１及び第２の発明の実施対象となるコンベヤベルトの例を示す。
【００１６】
このコンベヤベルト１は、平織りの帆布などからなる補強材を埋設した補強層２の上下をカバーゴム層３で被覆した構成を有している。なお、図１では補強層２が一層であるが、中間ゴム層を介して複数の補強層２を設けるようにしてもよい。カバーゴム層３の表面には、傷や凹みなどからなる複数の損傷部分４が形成されている。一般に、このようなカバーゴム層３の損傷は、製造時における異物との接触や、成形時における気体の残留などにより形成される。
【００１７】
なお、ここではカバーゴム層３の表面に損傷が発生した場合を例にしたが、コンベヤベルト１の内部に損傷が発生した場合でも、カバーゴム層３の表面には損傷部分４と同様の痕跡が発生する。
【００１８】
このようなコンベヤベルト１について、第１の発明の実施形態からなる補修方法を、以下に説明する。
【００１９】
最初に、図２に示すように、それぞれの損傷部分４を補修用の未加硫ゴム５で埋設や被覆するなどして成形する。この未加硫ゴム５は、カバーゴム層３と同じ組成を有することが望ましい。次に、その未加硫ゴム５で成形された複数の損傷部分４を覆うように、可撓性の板状ヒーター６を載置する。可撓性の板状ヒーター６は、ニクロム線などの発熱体を絶縁材で被覆したものを、伝熱性がよく可撓性のある金属（例えば、アルミニウムや銅）の薄板の間に挟み込んだ構造を有しており、外部からの通電により加硫温度（約１５０℃）以上に発熱するようになっている。この板状ヒーター６は、損傷部分４の個数や配置などに応じて、適切なサイズのものが用いられる。
【００２０】
そして、図３に示すように、未加硫ゴム５及び板状ヒーター６がコンベヤベルト１に覆われるように、つまり未加硫ゴム５及び板状ヒーター６が外表面に露出しないようにコンベヤベルト１を巻取ドラム７等の回りにロール状に巻き取る。最後に、図４に示すように、ロール状に巻き取った状態で、板状ヒーター６に通電して加硫温度以上に発熱させる。このとき、図５に示すように、損傷部分４及び未加硫ゴム５には、板状ヒーター６による熱とコンベヤベルト１の自重（例えば、５〜１５０ｋｇ／ｍ）が加わるため、未加硫ゴム５は加圧加硫され、一定時間後には損傷部分４に固定される。
【００２１】
なお、損傷部分４が広範囲にわたるような場合には、図６に示すように、成形された損傷部分４の全体を板状ヒーター６で覆うようにする。
【００２２】
このように、コンベヤベルト１の損傷部分４を未加硫ゴム５で成形し、その上に板状ヒーター６を載置してからロール状に巻き取った後に、板状ヒーター６で加熱するようにしたので、加硫プレス機などの大型機器を用いる必要がなく、かつ損傷部分４を一度に加圧加硫することができるので、損傷部分４が複数又は広範囲である場合でも低コストで補修することができ、かつ補修後の耐久性に優れた補修方法を提供することができる。
【００２３】
図７は、第１の発明の別の実施形態からなるコンベヤベルトの補修方法を説明するコンベヤベルトのベルト長手方向の断面図である。
【００２４】
この実施形態は、先の実施形態における板状ヒーター６の上に、弾性体からなる袋体８を更に載置するものである。弾性体からなる袋体８は、外部から供給される流体又は気体により膨張するようになっており、例えば、内部に連通するゴムチューブを備えたゴムバックなどを用いることができる。流体としては水又はオイルを、気体としては空気又は不活性ガス（窒素ガス、アルゴンガスなど）を、それぞれ用いることができる。
【００２５】
このようなコンベヤベルト１を、図３と同様にして、未加硫ゴム５、板状ヒーター６及び袋体８が外表面に露出しないようにして、巻取ドラム７等の回りに巻き取る。そして、ロール状に巻き取った状態で、板状ヒーター６に通電すると共に、コンプレッサーなどにより袋体８内に流体又は気体を圧入する。このとき、損傷部分４及び未加硫ゴム５には、板状ヒーター６による熱、並びにコンベヤベルト１の自重及び袋体８による圧力が加わるため、未加硫ゴム５は加圧加硫され、一定時間後には損傷部分４に固定される。
【００２６】
このようにすることにより、袋体８内へ供給する流体又は気体の圧力を調整することで加圧加硫時の圧力も容易に制御することができるので、未加硫ゴム５の損傷部分４への固定を確実にし、かつ加硫後の外観を向上することができる。また、ロール状に巻き取ったときの自重が加圧加硫を行うには小さくなるような軽量のコンベヤベルト１の補修を行うことも可能となる。
【００２７】
図８は、第２の発明の実施形態からなるコンベヤベルトの補修方法を説明するコンベヤベルトのベルト長手方向の断面図である。
【００２８】
この実施形態は、損傷部分４を成形した未加硫ゴム５の上に弾性体からなる袋体８のみを載置し、その袋体８内に加硫温度以上に加熱した流体又は気体を圧入することにより、未加硫ゴム５の加圧加硫を行うものである。これらの袋体８、流体及び気体としては、上述した第１の発明の実施形態と同じものを用いることができる。
【００２９】
このようにすることで、板状ヒーター６に通電する電源設備などが不要になるため、補修作業の更なるコスト低減が可能となる。また、未加硫ゴム５の加圧加硫の条件（温度及び圧力）を制御することができるため、未加硫ゴム５の損傷部分４への固定を確実にし、かつ加硫後の外観を向上させることができる。
【符号の説明】
【００３０】
１  コンベヤベルト
２  補強層
３  カバーゴム層
４  損傷部分
５  未加硫ゴム
６  板状ヒーター
７  巻取ドラム
８  袋体
【図１】
2010241544.tif 000003
【図２】
2010241544.tif 000004
【図３】
2010241544.tif 000005
【図４】
2010241544.tif 000006
【図５】
2010241544.tif 000007
【図６】
2010241544.tif 000008
【図７】
2010241544.tif 000009
【図８】
2010241544.tif 000010